(57)【要約】【課題】省エネ機能を有する調湿装置を提供する。【解決手段】調湿装置（10）は、加湿空気を室内に供給する加湿運転を行い、室内湿度が目標湿度になるように加湿運転を制御する。そして、ユーザの入力操作により、室内の結露に関する情報が入力され、その情報に基づいて、目標湿度値を補正する。【選択図】図１
2006329582.tif 000002
【特許請求の範囲】
【請求項１】
加湿空気を室内に供給する加湿運転を行う調湿装置であって、
室内湿度が目標湿度になるように上記加湿運転を制御する運転制御手段（31）と、
室内の結露に関する情報を入力するための入力手段（40）と、
上記入力手段（40）からの結露情報に基づいて、上記運転制御手段（31）の上記目標湿度を補正する補正手段（32）とを備えている
ことを特徴とする調湿装置。
【請求項２】
加湿空気を室内に供給する加湿運転を行う調湿装置であって、
室内湿度が目標湿度となるように上記加湿運転を制御する運転制御手段（31）と、
少なくとも室外温度に基づいて、上記運転制御手段（31）の目標湿度を補正する補正手段（32）とを備えている
ことを特徴とする調湿装置。
【請求項３】
請求項１において、
上記補正手段（32）は、少なくとも室外温度に基づいて、上記目標湿度の補正値を導出するように構成されている
ことを特徴とする調湿装置。
【請求項４】
請求項１または２において、
吸着剤が担持された第１吸着熱交換器（51）と、膨張機構（55）と、吸着剤が担持された第２吸着熱交換器（52）とを有する蒸気圧縮式冷凍サイクルの冷媒回路（50）を備え、
上記第１吸着熱交換器（51）で空気の水分を吸着し且つ上記第２吸着熱交換器（52）で空気に水分を放出すつ第１運転と、上記第２吸着熱交換器（52）で空気の水分を吸着し且つ上記第１吸着熱交換器（51）で空気に水分を放出する第２運転とを交互に行い、室外空気を加湿した加湿空気を室内に供給すと同時に室内空気より水分を吸着した除湿空気を室外に放出する加湿運転を少なくとも行うように構成されている
ことを特徴とする調湿装置。
【発明の詳細な説明】
【技術分野】
【０００１】
本発明は、調湿装置に関し、特に、結露対策に係るものである。
【背景技術】
【０００２】
従来より、除湿した空気を室外に放出し、加湿した空気を室内に供給する加湿運転を行う調湿装置が知られている。
【０００３】
例えば、特許文献１には、吸着剤が水分の吸着と脱離とを行うことにより空気の湿度を調節する調湿装置が開示されている。この調湿装置は、第１の熱交換器と、第２の熱交換器と、冷媒が循環して蒸気圧縮式冷凍サイクルを行い、第１及び第２熱交換器で冷媒の凝縮と蒸発とを交互に行う冷媒回路を備えている。また、吸着剤が、第１熱交換器及び第２熱交換器の表面に担持されている。そして、上記調湿装置は、第１熱交換器において室内空気から水分を吸着すると同時に、第２熱交換器において室外空気を加湿して室内に供給する運転と、第２熱交換器において室内空気から水分を吸着すると同時に、第１熱交換器において室外空気を加湿して室内に供給する運転を交互に行い、加湿運転を行う、と記載されている。
【特許文献１】特開２００４−２９４０４８号公報
【発明の開示】
【発明が解決しようとする課題】
【０００４】
ところで、上記調湿装置の加湿運転時において、建家における窓面には、結露が生じる場合がある。この結露の発生時においては、調湿装置から供給された加湿空気の水分は、結露となるのみで、室内空気の湿度は、上昇しない。しかし、従来の上記調湿装置は、結露について何らの対策もなされていないので、結露が発生していても、室内空気の湿度値を設定湿度値にするために加湿運転を行い続ける。その結果、無駄な加湿運転が行われるという問題があった。
【０００５】
本発明は、かかる点に鑑みてなされたものであり、その目的とするところは、無駄な加湿運転を防止するようにした調湿装置を提供することにある。
【課題を解決するための手段】
【０００６】
第１の発明は、加湿空気を室内に供給する加湿運転を行う調湿装置である。そして、室内湿度が目標湿度になるように上記加湿運転を制御する運転制御手段（31）と、室内の結露に関する情報を入力するための入力手段（40）と、上記入力手段（40）からの結露情報に基づいて、上記運転制御手段（31）の上記目標湿度を補正する補正手段（32）とを備えている。
【０００７】
第１の発明では、運転制御手段（31）が加湿運転を制御し、室内湿度が目標湿度になるように室内を加湿する。この加湿運転時において、結露が生じると、ユーザは、リモコンなどの入力手段（40）により、設定湿度を下げることになる。又は、ユーザは、結露スイッチなどにより結露情報を入力する。つまり、入力手段（40）から結露に関する情報が入力される。この結露情報に基づいて補正手段（32）が運転制御手段（31）の目標湿度を補正する。具体的に、目標湿度を低下させる。この設定湿度の低下信号の入力回数によって目標湿度が学習制御される。この結果、室内の結露が抑制され、無駄な加湿運転が防止される。
【０００８】
第２の発明は、加湿空気を室内に供給する加湿運転を行う調湿装置である。そして、室内湿度が目標湿度となるように上記加湿運転を制御する運転制御手段（31）と、少なくとも室外温度に基づいて、上記運転制御手段（31）の目標湿度を補正する補正手段（32）とを備えている。
【０００９】
第２の発明では、運転制御手段（31）が加湿運転を制御し、室内湿度が目標湿度になるように室内を加湿する。この加湿運転時において、室外温度、室外温度と室内湿度、または、室外温度と室内湿度と室外湿度がモニターされており、モニター結果に基づいて補正手段（32）が運転制御手段（31）の目標湿度を補正する。具体的に、目標湿度を低下させる。この結果、結露発生を未然に防ぐことができ、無駄な加湿運転が防止される。
【００１０】
第３の発明は、上記第１の発明において、上記補正手段（32）は、少なくとも室外温度に基づいて、上記目標湿度の補正値を導出するように構成されている。
【００１１】
第３の発明では、加湿運転時において、室外温度がモニターされており、モニター結果に基づいて補正手段（32）が運転制御手段（31）の目標湿度を補正する。この結果、外気温度が上昇すると室内湿度を上昇させることができ、快適性を向上させることができる。
【００１２】
第４の発明は、上記第１または第２の発明において、吸着剤が担持された第１吸着熱交換器（51）と、膨張機構（55）と、吸着剤が担持された第２吸着熱交換器（52）とを有する蒸気圧縮式冷凍サイクルの冷媒回路（50）を備え、上記第１吸着熱交換器（51）で空気の水分を吸着し且つ上記第２吸着熱交換器（52）で空気に水分を放出すつ第１運転と、上記第２吸着熱交換器（52）で空気の水分を吸着し且つ上記第１吸着熱交換器（51）で空気に水分を放出する第２運転とを交互に行い、室外空気を加湿した加湿空気を室内に供給すと同時に室内空気より水分を吸着した除湿空気を室外に放出する加湿運転を少なくとも行うように構成されている。
【発明の効果】
【００１３】
本発明によれば、結露が発生すると、目標湿度が補正されるので、無駄な加湿運転を抑制することができる。この結果、省エネルギー化を図ることができる。
【００１４】
また、上記第２の発明によれば、少なくとも外気温度によって目標湿度を補正するようにしたために、結露発生を未然に防止することができるので、無駄な加湿運転を確実に防止することができる。
【００１５】
また、上記第３の発明によれば、目標湿度の補正値が外気温度によって導き出されるので、外気温度の変化に対応して室内湿度が変化することから、快適性の向上を図ることができる。つまり、外気温度が上昇すると、露天温度が上昇するので、室内湿度を上昇させることから快適性が向上する。
【発明を実施するための最良の形態】
【００１６】
以下、本発明の実施形態を図面に基づいて詳細に説明する。
【００１７】
《発明の実施形態１》
本発明の実施形態１について説明する。本実施形態は、図１に示すように、除湿した空気を室内へ供給する除湿運転と、加湿した空気を室内へ供給する加湿運転とが可能な調湿装置に適用したものである。
【００１８】
上記調湿装置（10）は、冷媒回路（50）を備えている。この冷媒回路（50）は、第１吸着熱交換器（51）、第２吸着熱交換器（52）、圧縮機（53）、四方切換弁（54）、及び電動膨張弁（膨張機構）（55）が設けられた閉回路である。この冷媒回路（50）は、充填された冷媒を循環させることによって、蒸気圧縮冷凍サイクルを行う。
【００１９】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００２０】
上記四方切換弁（54）は、第１のポートと第３のポートが連通して第２のポートと第４のポートが連通する第１状態（図１(Ａ)に示す状態）と、第１のポートと第４のポートが連通して第２のポートと第３のポートが連通する第２状態（図１(Ｂ)に示す状態）とに切り換え可能となっている。
【００２１】
図２に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００２２】
上記各吸着熱交換器（51,52）では、各フィン（57）の表面に吸着剤が担持されており、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００２３】
上記調湿装置（10）は、コントローラ（30）を備えている。該コントローラ（30）は、運転制御手段（31）と補正手段（32）とを備えている一方、入力スイッチが接続されている。また、上記コントローラ（30）には、図示しないが、外気温度を検出する外気温度センサと、外気湿度を検出する外気湿度センサと、室内温度を検出する室内温度センサと、室内湿度を検出する室内湿度センサから、温湿度情報が入力されている。
【００２４】
上記運転制御手段（31）は、室内湿度が目標湿度となるように加湿運転及び除湿運転を制御するように構成されている。また、上記目標湿度は、リモコンなどからユーザによって入力される設定湿度に基づいて決定される。
【００２５】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。また、上記調湿装置（10）は、除湿運転中と加湿運転中の何れにおいても、第１動作と第２動作を所定の時間間隔（例えば３分間隔）で交互に繰り返す。
【００２６】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００２７】
先ず、第１動作について説明する。第１動作中には、第１吸着熱交換器（51）へ第２空気が、第２吸着熱交換器（52）へ第１空気がそれぞれ送り込まれる。この第１動作では、第１吸着熱交換器（51）についての再生動作と、第２吸着熱交換器（52）についての吸着動作とが行われる。
【００２８】
図１(Ａ)に示すように、第１動作中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、電動膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００２９】
このように、第１動作中の冷媒回路（50）では、第１吸着熱交換器（51）が凝縮器となり、第２吸着熱交換器（52）が蒸発器となる。第１吸着熱交換器（51）では、フィン（57）表面の吸着剤が伝熱管（58）内の冷媒によって加熱され、加熱された吸着剤から脱離した水分が第２空気に付与される。一方、第２吸着熱交換器（52）では、フィン（57）表面の吸着剤に第１空気中の水分が吸着され、発生した吸着熱が伝熱管（58）内の冷媒に吸熱される。
【００３０】
そして、除湿運転中であれば、第２吸着熱交換器（52）で除湿された第１空気が室内へ供給され、第１吸着熱交換器（51）から脱離した水分が第２空気と共に室外へ排出される。一方、加湿運転中であれば、第１吸着熱交換器（51）で加湿された第２空気が室内へ供給され、第２吸着熱交換器（52）に水分を奪われた第１空気が室外へ排出される。
【００３１】
次に、第２動作について説明する。第２動作中には、第１吸着熱交換器（51）へ第１空気が、第２吸着熱交換器（52）へ第２空気がそれぞれ送り込まれる。この第２動作では、第２吸着熱交換器（52）についての再生動作と、第１吸着熱交換器（51）についての吸着動作とが行われる。
【００３２】
図１(Ｂ)に示すように、第２動作中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、電動膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００３３】
このように、冷媒回路（50）では、第２吸着熱交換器（52）が凝縮器となり、第１吸着熱交換器（51）が蒸発器となる。第２吸着熱交換器（52）では、フィン（57）表面の吸着剤が伝熱管（58）内の冷媒によって加熱され、加熱された吸着剤から脱離した水分が第２空気に付与される。一方、第１吸着熱交換器（51）では、フィン（57）表面の吸着剤に第１空気中の水分が吸着され、発生した吸着熱が伝熱管（58）内の冷媒に吸熱される。
【００３４】
そして、除湿運転中であれば、第１吸着熱交換器（51）で除湿された第１空気が室内へ供給され、第２吸着熱交換器（52）から脱離した水分が第２空気と共に室外へ排出される。一方、加湿運転中であれば、第２吸着熱交換器（52）で加湿された第２空気が室内へ供給され、第１吸着熱交換器（51）に水分を奪われた第１空気が室外へ排出される。
【００３５】
次に、上記加湿運転時における目標湿度の決定について、図３に基づき説明する。
【００３６】
上記加湿運転時を初め除湿運転時において、ユーザは、リモコンなどによって室内の設定湿度を入力する。この設定湿度に基づいて温度制御手段は目標湿度を決定し、室内湿度が目標湿度となるように加湿運転及び除湿運転を制御する。
【００３７】
この加湿運転時において、目標湿度や外気条件などによって室内に結露が生じる場合がある。この結露が生じると、ユーザは入力スイッチを操作し、結露を申告する。例えば、ユーザが湿度設定のダウンスイッチをオンにした場合や、専用の結露スイッチをオンにすると、結露に関する情報が入力される。
【００３８】
上記補正手段（32）は、入力スイッチからの信号入力の回数、つまり、受信回数に基づいて運転制御手段（31）の目標湿度を補正するように構成されている。
【００３９】
一方、上記入力スイッチは、リモコンなどにより構成され、結露スイッチや湿度設定のダウンスイッチで構成されている。上記入力スイッチは、加湿運転時において、室内の窓などに結露が生じると、ユーザが申告するためのスイッチである。
【００４０】
つまり、上記補正手段（32）は、室内に結露が生じた際、ユーザの申告回数によって補正値を導き出し、目標湿度を補正するように構成されている。また、上記補正手段（32）は、補正値を固定値として予め記憶している。
【００４１】
この情報が入力されると、図３のステップＳ１０１において、この入力信号が受信される。続いて、ステップＳ１０２に移り、補正手段（32）が入力信号の受信回数を記憶する。
【００４２】
次いで、ステップＳ１０３に移り、補正手段（32）が湿度目標値を算出する。つまり、補正手段（32）は、次式に基づいて運転制御手段（31）の目標湿度である湿度目標値を算出する。
【００４３】
（湿度目標値）＝（設定湿度値）−（受信回数）×（補正値）
その後、ステップＳ１０４に移り、運転制御手段（31）は、補正手段（32）が補正した湿度目標値に室内湿度がなるように加湿運転を制御する。
【００４４】
−実施形態１における効果−
本実施形態は、ユーザからの申告回数である受信回数を記憶し、その受信回数に応じて設定湿度値を補正して、室内湿度が湿度目標値となるように運転を行うので、この補正を繰り返すことにより、湿度目標値は、結露が発生しない湿度に収束する。従って、無駄な加湿運転を阻止することができ、省エネルギー化を図ることができる。
【００４５】
−実施形態１の変形例−
以下に示す第１乃至第３変形例における調湿装置（10）は、補正値を可変に構成したものである。つまり、補正手段（32）は、補正値を目標関数として予め記憶している。
【００４６】
（第１変形例）
第１変形例は、目標関数が外気温度を変数とする関数としたものである。
【００４７】
具体的に、図４のステップＳ１０１において、ユーザからの信号を受信する。続いて、ステップＳ１０２に移り、補正手段（32）が入力信号の受信回数を記憶する。
【００４８】
次いで、ステップＳ１１３に移り、外気温度センサにより外気温度を測定する。続いて、ステップＳ１１４に移り、補正手段（32）が湿度目標値を算出する。つまり、補正手段（32）は、次式に基づいて運転制御手段（31）の目標湿度である湿度目標値を算出する。
【００４９】
（湿度目標値）＝（設定湿度値）−（受信回数）×（補正値）
その後、ステップＳ１１５に移り、運転制御手段（31）は、補正手段（32）が補正した湿度目標値に室内湿度がなるように加湿運転を制御する。
【００５０】
−第１変形例における効果−
第１変形例は、目標湿度の補正値が外気温度によって導き出されるので、外気温度の変化に対応して室内湿度が変化することから、快適性の向上を図ることができる。
【００５１】
（第２変形例）
第２変形例は、目標関数が外気温度及び室内湿度を変数とする関数としたものである。
【００５２】
具体的に、図５のステップＳ１０１において、ユーザからの信号を受信する。続いて、ステップＳ１０２に移り、補正手段（32）が入力信号の受信回数を記憶する。
【００５３】
次いで、ステップＳ１１３に移り、外気温度センサにより外気温度を測定する。続いて、ステップＳ１２４に移り、室内湿度センサにより室内湿度を測定する。
【００５４】
その後、ステップＳ１２５へ移り、補正手段（32）が湿度目標値を算出する。つまり、補正手段（32）は、次式に基づいて運転制御手段（31）の目標湿度である湿度目標値を算出する。
【００５５】
（湿度目標値）＝（設定湿度値）−（受信回数）×（補正値）
その後、ステップＳ１２６に移り、運転制御手段（31）は、補正手段（32）が補正した湿度目標値に室内湿度がなるように加湿運転を制御する。
【００５６】
−第２変形例における効果−
第２変形例は、目標湿度の補正値が外気温度及び室内湿度によって導き出されるので、外気温度の変化に対応して室内湿度が変化することから、快適性の向上を図ることができる。
【００５７】
また、補正値は、外気温度と室内湿度との２変数により導き出されるため、上記第１変形例よりも快適性の向上を図ることができる。
【００５８】
（第３変形例）
第３変形例は、目標関数が外気温度、室内湿度及び室外湿度を変数とする関数としたものである。
【００５９】
具体的に、図６のステップＳ１０１において、ユーザからの信号を受信する。続いて、ステップＳ１０２に移り、補正手段（32）が入力信号の受信回数を記憶する。
【００６０】
次いで、ステップＳ１１３に移って外気温度センサにより外気温度を測定後、ステップＳ１２４に移って室内湿度センサにより室内湿度を測定する。続いて、ステップＳ１３５へ移って、室外湿度センサにより室外湿度を測定する。
【００６１】
その後、ステップＳ１３６へ移り、補正手段（32）が湿度目標値を算出する。つまり、補正手段（32）は、次式に基づいて運転制御手段（31）の目標湿度である湿度目標値を算出する。
【００６２】
（湿度目標値）＝（設定湿度値）−（受信回数）×（補正値）
その後、ステップＳ１３７に移り、運転制御手段（31）は、補正手段（32）が補正した湿度目標値に室内湿度がなるように加湿運転を制御する。
【００６３】
−第３変形例における効果−
第３変形例は、目標湿度の補正値が外気温度及び室内湿度によって導き出されるので、外気温度の変化に対応して室内湿度が変化することから、快適性の向上を図ることができる。
【００６４】
また、補正値は、外気温度と室内湿度と室外湿度の３変数により導き出されるため、上記第２変形例よりも、さらに、快適性の向上を図ることができる。
【００６５】
《発明の実施形態２》
本発明の実施形態２について説明する。本実施形態における目標湿度の決定方法は、ユーザの入力に基づいて目標湿度を補正するのではなく、室外温度に基づいて目標湿度を補正する。
【００６６】
上記加湿運転時を初め除湿運転時において、ユーザは、リモコンなどによって室内の設定湿度を入力する。この設定湿度に基づいて温度制御手段は目標湿度を決定し、室内湿度が目標湿度となるように加湿運転及び除湿運転を制御する。
【００６７】
また、室外温度モニターにより室外温度がモニターされ、室外湿度モニターにより室外湿度がモニターされ、室内湿度モニターにより室内湿度がモニターされている。
【００６８】
上記補正手段（32）は、室外温度モニターで測定された室外温度に基づいて、運転制御手段（31）の目標湿度を補正するように構成されている。つまり、補正値は、室外温度の関数である。
【００６９】
そして、調湿装置（10）の加湿運転時及び除湿運転時には、図７のステップＳ２０１に示すように、室外温度モニターにより室外温度が測定される。
【００７０】
次いで、ステップＳ２０２に移り、補正手段（32）が湿度目標値を算出する。つまり、補正手段（32）は、次式に基づいて運転制御手段（31）の目標湿度である湿度目標値を算出する。
【００７１】
（湿度目標値）＝（設定湿度値）−（受信回数）×（補正値）
その後、ステップＳ２０３に移り、運転制御手段（31）は、補正手段（32）が補正した湿度目標値に室内湿度がなるように加湿運転を制御する。
【００７２】
−実施形態２における効果−
本実施形態は、室外温度を測定し、その室外温度に基づいて設定湿度値を補正して、室内湿度が湿度目標値となるように運転を行うので、加湿運転時における結露の発生を未然に防止できる。従って、無駄な加湿運転を阻止することができ、省エネルギー化を図ることができる。
【００７３】
−実施形態２の変形例−
以下に示す第１及び第２変形例における調湿装置（10）では、目標関数が室外温度とそれ以外の温湿条件との関数である。
【００７４】
（第１変形例）
第１変形例は、目標関数が室外温度と室内湿度とを変数とする関数としたものである。
【００７５】
具体的に、図８に示すステップＳ２０１で外気温度を測定する。続いて、ステップＳ２１２へ移り、室内湿度を測定する。
【００７６】
次いで、ステップＳ２１３に移り、補正手段（32）が湿度目標値を算出する。つまり、補正手段（32）は、次式に基づいて運転制御手段（31）の目標湿度である湿度目標値を算出する。
【００７７】
（湿度目標値）＝（設定湿度値）−（受信回数）×（補正値）
その後、ステップＳ２１４に移り、運転制御手段（31）は、補正手段（32）が補正した湿度目標値に室内湿度がなるように加湿運転を制御する。
【００７８】
−第１変形例における効果−
第１変形例は、室外温度及び室内湿度を測定し、その室外温度及び室内湿度に基づいて設定湿度値を補正して、室内湿度が湿度目標値となるように運転を行うので、加湿運転時における結露の発生を未然に防止できる。従って、無駄な加湿運転を阻止することができ、省エネルギー化を図ることができる。
【００７９】
また、第１変形例は、目標関数として、室外温度と室内湿度との２変数を用いているため、無駄な加湿運転を上記実施形態２よりも完全に阻止できる。
【００８０】
（第２変形例）
第２変形例は、目標関数が室外温度と室内湿度と室外湿度とを変数とする関数としたものである。
【００８１】
具体的に、図９に示すステップＳ２０１で外気温度を測定する。続いて、ステップＳ２１２へ移って室内湿度を測定し、ステップＳ２２３へ移って外気湿度を測定する。
【００８２】
次いで、ステップＳ２２４に移り、補正手段（32）が湿度目標値を算出する。つまり、補正手段（32）は、次式に基づいて運転制御手段（31）の目標湿度である湿度目標値を算出する。
【００８３】
（湿度目標値）＝（設定湿度値）−（受信回数）×（補正値）
その後、ステップＳ２２５に移り、運転制御手段（31）は、補正手段（32）が補正した湿度目標値に室内湿度がなるように加湿運転を制御する。
【００８４】
−第２変形例における効果−
第２変形例は、室外温度、室内湿度及び室外湿度を測定し、その室外温度、室内湿度及び室外湿度に基づいて設定湿度値を補正して、室内湿度が湿度目標値となるように運転を行うので、加湿運転時における結露の発生を未然に防止できる。従って、無駄な加湿運転を阻止することができ、省エネルギー化を図ることができる。
【００８５】
また、第２変形例は、目標関数として、室外温度と室内湿度と室外湿度とを用いているため、無駄な加湿運転を上記第１変形例よりも完全に阻止できる。
【００８６】
《その他の実施形態》
上記実施形態では、調湿装置（10）が次のように構成されていてもよい。ここでは、調湿装置（10）の変形例について説明する。
【００８７】
−第１変形例−
図１０に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【００８８】
この調湿装置（10）は、第１動作と第２動作を繰り返す。図１０(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図１０(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【００８９】
−第２変形例−
図１１に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【００９０】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【００９１】
また、上記実施形態１及び２の変形例では、各々、以下の順序で設定湿度値が補正されてもよい。
【００９２】
上記実施形態１の第１変形例において、外気温度を測定するステップＳ１１３の後、受信回数を記憶するステップＳ１０２を行ってもよい。
【００９３】
上記実施形態１の第２変形例において、受信回数を記憶するステップＳ１０２、外気温度を測定するステップＳ１１３及び室内湿度を測定するステップＳ１２４の順序は、特に限定されない。
【００９４】
上記実施形態１の第３変形例において、受信回数を記憶するステップＳ１０２、外気温度を測定するステップＳ１１３、室内湿度を測定するステップＳ１２４及び外気湿度を測定するステップＳ１３５の順序は、特に限定されない。
【００９５】
また、上記実施形態２の第１変形例において、室内湿度を測定するステップＳ２１２後、外気温度を測定するステップＳ２０１を行ってもよい。
【００９６】
上記実施形態２の第２変形例において、外気温度を測定するステップＳ２０１、室内湿度を測定するステップＳ２１２及び外気湿度を測定するステップＳ２２３の順序は、特に限定されない。
【００９７】
また、上記各実施形態は、１台の調湿装置を室内に設けた場合について説明したが、室内のペリメータゾーンとインテリアゾーンとに複数の調湿装置を設ける場合、結露発生時にペリメータゾーンの調湿装置のみに結露発生運転を実行させ、インテリアゾーンの調湿装置は、結露発生情報の入力時の運転を続行させるように複数の調湿装置を連動させる連動制御手段を設けるようにしてもよい。
【００９８】
なお、以上の実施形態は、本質的に好ましい例示であって、本発明、その適用物、あるいはその用途の範囲を制限することを意図するものではない。
【産業上の利用可能性】
【００９９】
以上説明したように、本発明は、調湿装置、特に、結露対策に係る調湿装置について有用である。
【図面の簡単な説明】
【０１００】
【図１】実施形態１の冷媒回路の構成を示す配管系統図であって、(Ａ)は第１動作中の動作を示すものであり、(Ｂ)は第２動作中の動作を示すものである。
【図２】吸着熱交換器の概略斜視図である。
【図３】実施形態１の調湿装置（10）における目標湿度を補正する方法に関するフロー図である。
【図４】実施形態１の第１変形例の調湿装置（10）における目標湿度を補正する方法に関するフロー図である。
【図５】実施形態１の第２変形例の調湿装置（10）における目標湿度を補正する方法に関するフロー図である。
【図６】実施形態１の第３変形例の調湿装置（10）における目標湿度を補正する方法に関するフロー図である。
【図７】実施形態２の調湿装置（10）における目標湿度を補正する方法に関するフロー図である。
【図８】実施形態２の第１変形例の調湿装置（10）における目標湿度を補正する方法に関するフロー図である。
【図９】実施形態２の第２変形例の調湿装置（10）における目標湿度を補正する方法に関するフロー図である。
【図１０】その他の実施形態の第１変形例における調湿装置の概略構成図であって、(Ａ)は第１動作中の動作を示すものであり、(Ｂ)は第２動作中の動作を示すものである。
【図１１】その他の実施形態の第２変形例における調湿ユニットの概略斜視図である。
【符号の説明】
【０１０１】
10  調湿装置
【図１】
2006329582.tif 000003
【図２】
2006329582.tif 000004
【図３】
2006329582.tif 000005
【図４】
2006329582.tif 000006
【図５】
2006329582.tif 000007
【図６】
2006329582.tif 000008
【図７】
2006329582.tif 000009
【図８】
2006329582.tif 000010
【図９】
2006329582.tif 000011
【図１０】
2006329582.tif 000012
【図１１】
2006329582.tif 000013